(57)【特許請求の範囲】
【請求項１】
被写体を撮像して画像データに変換する撮像部と、
上記撮像部で取得した画像の撮影条件を切り換えるためのスイッチ部と、
顔の陰影パターンの年齢変化を記憶するデータベースと、
上記画像データに含まれる人物の顔画像に対応する顔画像データに対し、上記データベースを用いて、上記人物の顔に表れた加齢サインを検出する加齢サイン検出部と、
上記スイッチ部の操作と上記加齢サイン検出部により検出した上記加齢サインに基づいて特定された部分に対応する画像データの画像処理を行う適応処理部と、
を備えたことを特徴とする撮像装置。
【請求項２】
上記撮像装置は、上記画像データを表示する表示部を有することを特徴とする請求項１に記載の撮像装置。
【請求項３】
上記表示部は、画面を分割し、異なる上記画像処理を施した画像を複数、表示することを特徴とする請求項２に記載の撮像装置。
【請求項４】
被写体を撮像して画像データに変換する撮像部と、
顔の陰影パターンの年齢変化を記憶するデータベースと、
上記画像データに含まれる人物の顔画像に対応する顔画像データに対し、上記データベースを用いて、上記人物の顔に表れた加齢サインを検出する加齢サイン検出部と、
上記加齢サイン検出部により検出した上記加齢サインに基づいて特定された部分に対応する画像データの画像処理を行う適応処理部と、
を備えたことを特徴とする撮像装置。
【請求項５】
被写体を撮像して画像データに変換する撮像ステップと、
上記撮像ステップで取得した画像の撮影条件を切り換える切り換えステップと、
上記画像データに含まれる人物の顔画像に対応する顔画像データに対し、顔の陰影パターンの年齢変化を記憶するデータベースを用いて、上記人物の加齢サインを検出する加齢サイン検出ステップと、
上記切り換えステップにおいて切り換えた撮影条件と上記加齢サイン検出ステップにより検出した上記加齢サインに基づいて特定された部分に対応する画像データの画像処理を行う適応処理ステップと、
を備えたことを特徴とする撮像方法。
【請求項６】
上記撮像方法は、上記画像データを表示する表示ステップを有することを特徴とする請求項５に記載の撮像方法。
【請求項７】
上記表示ステップは、画面を分割し、異なる上記画像処理を施した画像を複数、表示することを特徴とする請求項６に記載の撮像方法。
【請求項８】
被写体を撮像して画像データに変換する撮像ステップと、
上記画像データに含まれる人物の顔画像に対応する顔画像データに対し、顔の陰影パターンの年齢変化を記憶するデータベースを用いて、年齢が若い時にない顔の陰影パターンである加齢サインに基づいて特定された部分に対応する画像データの画像処理を行う適応処理ステップと、
を備えたことを特徴とする撮像方法。
【発明の詳細な説明】
【技術分野】
【０００１】
本発明は、撮像装置および撮像方法に関し、詳しくは、若々しい容姿の写真撮影が可能な撮像装置及び撮像方法に関する。
【背景技術】
【０００２】
デジタルカメラ等の撮像装置の技術革新によって、高感度化、露出制御範囲の拡大など撮像装置は使いやすくなってきている。また、画像処理技術の進展に伴い被写体の顔を検出する技術も進歩してきている。このような状況の中、若々しい容姿での写真が好まれており、従来から、年齢等を考慮する技術が種々、開示されている。
【０００３】
例えば、特許文献１には、性別や年齢によって顔画像を補正する撮像装置が開示されている。この撮像装置では、性別や年齢によって最適な補正は異なることから、顔検出手段によって検出された情報に基づいて画像処理を施している。また、特許文献２には、顔の画像を取り込み、画像の物理量を測定し、これから加齢変化パターンより加齢変化推定画像を作成する加齢パターンの鑑別方法が開示されている。
【０００４】
【特許文献１】特開２００６−１４８３２６号公報
【特許文献２】特開２００１−３３１７９１号公報
【発明の開示】
【発明が解決しようとする課題】
【０００５】
特許文献１に開示された撮像装置では、顔の画像を肌の色等に基づいて分類し、それぞれの分類に応じて一律に画質を変更するようにしているだけであり、表情を無視して補正することから、不自然な画像となってしまうおそれがある。また、特許文献２に開示された鑑別方法では、加齢変化推定画像を作成するだけで、顔の表情の変化に対応しておらず、また顔の画像を生き生きとした画像に処理するものではない。すなわち、これらの特許文献に開示の技術では、被写体の若々しい容姿の写真を得ることはできない。
【０００６】
本発明は、このような事情を鑑みてなされたものであり、自然でかつ若々しい容姿の写真を得ることができる撮像装置および撮像方法を提供することを目的とする。
【課題を解決するための手段】
【０００７】
上記目的を達成するため第１の発明に係わる撮像装置は、被写体を撮像して画像データに変換する撮像部と、上記撮像部で取得した画像の撮影条件を切り換えるためのスイッチ部と、顔の陰影パターンの年齢変化を記憶するデータベースと、上記画像データに含まれる人物の顔画像に対応する顔画像データに対し、上記データベースを用いて、上記人物の顔に表れた加齢サインを検出する加齢サイン検出部と、上記スイッチ部の操作と上記加齢サイン検出部により検出した上記加齢サインに基づいて特定された部分に対応する画像データの画像処理を行う適応処理部と、を備えたことを特徴とする。
【０００８】
上記目的を達成するため第２の発明に係わる撮像装置は、上記第１の発明に係わる撮像装置において、上記画像データを表示する表示部を有することを特徴とする。
【０００９】
上記目的を達成するため第３の発明に係わる撮像装置は、上記第２の発明に係わる撮像装置において、上記表示部は、画面を分割し、異なる上記画像処理を施した画像を複数、表示することを特徴とする。
【００１０】
上記目的を達成するため第４の発明に係わる撮像装置は、被写体を撮像して画像データに変換する撮像部と、顔の陰影パターンの年齢変化を記憶するデータベースと、上記画像データに含まれる人物の顔画像に対応する顔画像データに対し、上記データベースを用いて、上記人物の顔に表れた加齢サインを検出する加齢サイン検出部と、上記加齢サイン検出部により検出した上記加齢サインに基づいて特定された部分に対応する画像データの画像処理を行う適応処理部と、を備えたことを特徴とする。
【００１１】
上記目的を達成するため第５の発明に係わる撮像方法は、被写体を撮像して画像データに変換する撮像ステップと、上記撮像ステップで取得した画像の撮影条件を切り換える切り換えステップと、上記画像データに含まれる人物の顔画像に対応する顔画像データに対し、顔の陰影パターンの年齢変化を記憶するデータベースを用いて、上記人物の加齢サインを検出する加齢サイン検出ステップと、上記切り換えステップにおいて切り換えた撮影条件と上記加齢サイン検出ステップにより検出した上記加齢サインに基づいて特定された部分に対応する画像データの画像処理を行う適応処理ステップと、を備えたことを特徴とする。
【００１２】
上記目的を達成するため第６の発明に係わる撮像方法は、上記第５の発明に係わる撮像方法において、上記画像データを表示する表示ステップを有することを特徴とする請求項５に記載の撮像方法。
【００１３】
上記目的を達成するため第７の発明に係わる撮像方法は、上記第６の発明に係わる撮像方法において、上記表示ステップは、画面を分割し、異なる上記画像処理を施した画像を複数、表示することを特徴とする。
上記目的を達成するため第８の発明に係わる撮像方法は、被写体を撮像して画像データに変換する撮像ステップと、上記画像データに含まれる人物の顔画像に対応する顔画像データに対し、顔の陰影パターンの年齢変化を記憶するデータベースを用いて、年齢が若い時にない顔の陰影パターンである加齢サインに基づいて特定された部分に対応する画像データの画像処理を行う適応処理ステップと、を備えたことを特徴とする。
【発明の効果】
【００１４】
本発明によれば、自然でかつ若々しい容姿の写真を得ることができる撮像装置および撮像方法を提供することができる。
【発明を実施するための最良の形態】
【００１５】
以下、図面に従って本発明を適用したカメラを用いて好ましい実施形態について説明する。本実施形態に係るカメラはデジタルカメラであり、被写体像を撮像素子で光電変換し、取得した画像データを背面液晶等の表示装置にスルー画表示（ライブビューとも言う）し、またレリーズ操作に応じて記録媒体に画像データの記録を行う。また、スルー画表示する際、顔の画像データに基づいて、その人物の年齢に相応した加齢サインを検出し、カメラの撮影位置の変化に応じて顔の画像データが変化すると、加齢サインの相対的な変化を表示することができる。
【００１６】
図１は、本発明の第１実施形態に係わるカメラ１００のブロック図である。ユーザーが使用するカメラ１００には、撮影レンズ２、ＡＦ（オートフォーカス）制御部２ａ、絞り２ｂ、絞り制御部２ｃ、撮像素子３、アナログフロントエンド（以下、ＡＦＥと略す）部４が設けられている。撮影レンズ２は、内部にフォーカスレンズを有し、入射した被写体２０の像を撮像素子３上に結像させる。
【００１７】
ＡＦ制御部２ａは、撮影レンズ２の合焦位置を、後述する画像処理部５内において画像処理を行い、いわゆる山登り法により検出し、フォーカスレンズを駆動して、合焦位置に移動させる。なお、山登り法は、撮影画像のコントラスト信号のピークから合焦位置（ピント位置）を検出する方式であるが、山登り法以外にも、例えば位相差法や三角測距法等公知の合焦方法に置き換えてもよい。
【００１８】
撮影レンズ２内または近傍に、シャッタや絞りの効果を奏する絞り２ｂが設けられる。絞り２ｂは、撮影時に所定の口径まで開き、露出が終了すると閉じて露光を終了させるものである。また、スルー画表示時には、絞り２は開放状態にあり、撮像素子３上に被写体像が結像する。絞り制御部２ｃは、絞り２ｂを駆動して絞り径を設定し、また、適正露光に対して、絞り２ｂの開口量や開口時間を調節することにより露出補正を行う。撮像素子３は、多数の画素からなるＣＣＤやＣＭＯＳセンサ等であり、撮影レンズ２を介して被写体２０からの像を受光しこれを画像信号に変換する。
【００１９】
アナログフロントエンド（ＡＦＥ）部４は、アナログデジタル変換（ＡＤ）手段を含み、撮像素子３からの信号をデジタル信号化する。ＡＦＥ部４は、撮像素子３から出力される画像信号について各種処理を行う。ＡＦＥ部４の出力は、画像処理部５に接続されている。
【００２０】
画像処理部５は、コントラストやエッジ処理、信号の強弱を画像に表すときのガンマ変換等の処理を行う。また、露出補正を行ったときと同様の画像を生成し、補正量に応じて画面の明暗を変化させることができる。また、画像処理部５は、ライブ画像をリアルタイムに表示部にスルー画表示できるように、撮像素子３からの信号を表示パネル８に表示できるようなサイズに加工する。このスルー画表示により、撮影に先立って撮像素子に入射する像を確認でき、これを見ながら撮影時のタイミングやシャッタチャンスを決定することができる。
【００２１】
また、この画像処理部５の信号を利用して、撮像素子から入力されてくる画像の判定や検出する画像判定機能を有している。この画像判定機能としては、顔検出部５ａ、適応処理部５ｂ、コントラスト判定部５ｃ、相対判定部５ｄがある。顔検出部５ａは、画像情報を加工して得られる輪郭情報から人の顔を判定する。コントラスト判定部５ｃは、画像の信号レベルのコントラストを判定する。前述のＡＦ制御部２ａは、このコントラスト判定部５ｃから出力されるコントラストがピークとなるように撮影レンズ２のピント合わせを行っている。
【００２２】
相対判定部５ｄは画像処理部５内に設けられており、顔検出部５ａによって検出された顔の画像データと、後述する顔及び加齢データベース９ｄに記録されている顔の陰影パターン（テンプレート）を比較し、絶対的な年齢を求める。すなわち、撮像素子３から取得した複数の顔の画像ごとに、絶対的な年齢を求め、基準となる顔の画像に対して、どのくらい若く見えるか、または年配に見えるか、相対的な年齢表示に変換する。この相対的な年齢表示は、後述するマルチ表示制御部８ｂによって表示パネル８に表示される。
【００２３】
また、画像処理部５には、適応処理部５ｂが接続されている。適応処理部５ｂは、画面の一部分のみに対して補正処理、例えば、ガンマ処理を行い、加齢部を目立たなくするような画像処理を行う。
【００２４】
また、カメラ１００には、圧縮部６、記録部９ａ、記録メディア９、顔＆加齢データベース９ｄ、表示パネル８、表示制御部８ａ及びマルチ画像処理部８ｂが設けられている。圧縮部６は、撮影時に画像処理部５から出力された信号を圧縮する。圧縮部６内には、ＭＰＥＧ（Ｍｏｖｉｎｇ  Ｐｉｃｔｕｒｅ  Ｅｘｐｅｒｔｓ  Ｇｒｏｕｐ）４やＨ．２６４などの圧縮用コア部で構成される動画用の圧縮部及び  ＪＰＥＧ（ＪｏｉｎｔＰｈｏｔｏｇｒａｐｈｉｃ  Ｅｘｐｅｒｔｓ  Ｇｒｏｕｐ）コア部など静止画像用の圧縮部が設けられる。また、圧縮部６は記録メディア９に記録されている画像を表示パネル８に再生する際には、画像伸張も行なう。
【００２５】
記録部９ａは、圧縮された画像信号を記録メディア９に記録する。記録メディア９はカメラに着脱可能な保存用の記録媒体である。なお、画像信号の記録にあたっては、写真撮影した時の時間情報も併せて記録しても良い。撮影時間情報は、後述するＭＰＵ１内の時計部１ｔによって計測されており、ＭＰＵ１は画像と関連付を行なう。
【００２６】
顔および加齢ＤＢ９ｄは、顔と加齢の関係を記憶するデータベースである。すなわち、顔の皺等にできる顔の陰影パターンと、この顔の陰影パターンが年齢と共にどのように変化するかのデータが記憶されている。前述の相対判定部５ｄは、このデータベース９ｄに記憶されている陰影パターンの中から一致度の高い陰影パターンを検索することにより、絶対年齢を推定することができる。
【００２７】
表示パネル８は、例えばカメラ１００の背面等に配置された液晶や有機ＥＬ等から構成され、撮影時には観察用に被写体画像をスルー画表示し、再生時には伸張処理された記録画像を再生表示する。また、表示パネル８は、相対判定部５ｄによって求められた相対的な年齢表示を行う。
【００２８】
表示制御部８aは、表示パネル８への表示を制御する。マルチ画像処理部８ｂは、表示パネル８上に、複数の画像を表示する場合の制御部である。このマルチ画像処理部８ｂによって、スルー画に対して相対的年齢表示を行う。
【００２９】
カメラ１００には、補助光発光部１１、ＭＰＵ（Micro Processing Unit）１、レリーズスイッチ１ａ、モード切替スイッチ１ｂ、他のスイッチ１ｃが設けられる。補助光発光部１１は、白色ＬＥＤやＸｅ放電発光管を有し、光量が制御できるようになっている。状況に応じて被写体２０に光を照射して、明るさの不足や不均一な明るさを防止する。
【００３０】
ＭＰＵ１は、カメラ全体の制御を司る制御手段である。レリーズスイッチ１ａ、モード切替スイッチ１ｂ、他のスイッチ１ｃおよびプログラム等を記憶したＲＯＭ(不図示)が、ＭＰＵ１に接続される。ＭＰＵ１内には、日や時刻を検出するための時計部１ｔが設けられており、写真の撮影日時を検出し、撮影画像と関連付けを行う。なお、スイッチ１ｂ、１ｃは、スイッチを総称的に表示したものであって、実際には多数のスイッチ群から構成されている。
【００３１】
各スイッチ１ａ〜１ｃは、ユーザーの操作を検出して、その結果をマイクロコントローラからなる演算制御手段であるＭＰＵ１に通知する。ＭＰＵ１が、これらのスイッチの操作に従って動作を切り換える。また、ＭＰＵ１は撮影時には、ＡＦ制御部２ａや絞り制御部２ｃ等の制御を行う撮影制御機能や取得画像データの記録部９ａや記録メディア９への記録制御機能を果たす。
【００３２】
さらに、ＭＰＵ１は、スルー画像等の顔画像と、顔および加齢データベース９ｄに記録されているデータとを比較して得られた相対的な年齢を表示パネル８に表示させる。また、各スイッチ１ｃ等によって露出補正が設定された場合には、露出補正量に応じて、絞り２ｂの開口量や開口時間を、適正露光量が得られた値よりシフトするように絞り制御部２ｃに制御指令を出力する。
【００３３】
次に、年齢変化表示、すなわち、複数の顔画像について相対年齢の表示について説明する。本実施形態においては、スルー画表示を行っている際に、同一人物について、少なくとも２以上の顔の画像について年齢を推定し、この推定した年齢の相対的な差を表示するようにしている。
【００３４】
本実施形態における年齢の判定の仕方は以下の通りである。図３は、顔の画像とその陰影のパターンの組み合わせを示す。すなわち、若い人の顔画像４１には、若い時に特有の陰影パターン４３がマッチングする。また、年配の人の顔画像４２には、年配の人に特有な陰影パターン４４がマッチングする。
【００３５】
顔及び加齢ＤＢ９ｄには、陰影パターンを多数、記憶してあり、相対判定部５ｄは、撮像素子３から出力される画像から抽出した顔画像と、顔及び加齢ＤＢ９ｄに記憶されている陰影パターンとを比較し、この中から一致するものを検索する。この検索結果に応じて、顔の若々しさが判定される。
【００３６】
上述した年齢変化の判定は、撮影前に構図を決める際のスルー画表示時に行う。スルー画表示時には、同一人物であっても、光線のあたり具合や、顔の表情の変化によって、見た目の若々しさ（推定年齢）は、変化する。
【００３７】
例えば、図４（ａ）に示すような顔５２ａの表情を基準とする場合には、表示パネル８に表示される相対年齢表示を示す年齢バー５１のバー表示は、略中央にある。また、同一人物であっても、見る位置や表情によって、図４（ｂ）に示すような顔５２ｂの場合には、やや年配に見えることもある。この場合、相対判定部５ｄは、顔及び加齢ＤＢ９ｄとパターンマッチングの結果得られた推定年齢を直接表示するのではなく、相対的な年齢を表示する。すなわち、相対的な年齢は、年齢バー５１に図４（ａ）に示した基準位置からの偏差として、バー表示を変化させる。
【００３８】
このように、本実施形態においては、表情等によって変化する推定年齢を、基準となる位置からの偏差で表示するようにしている。図４（ｂ）に比較し、図４（ａ）の方が若く見えることが容易に分かるので、撮影者は年齢バー５１を見ながら、どの表情のタイミングで撮ればいいかを知ることができる。また、被写体も、撮影者から年齢バー５１の表示を教えてもらうことにより、どんな表情をすればよいかが分かる。
【００３９】
なお、本実施形態においては、相対的な年齢は年齢バー５１により、棒グラフ形式で表示したが、これに限らず、例えば、差分値そのものを数値で表示したり、星印の和で表示する等、種々の表示方法をとってもよい。
【００４０】
上述した年齢変化の表示の考え方に基づくカメラの年齢変化表示の動作について、図２に示すフローチャートを用いて説明する。このフローは、前述したようにスルー画表示を行っている際に実行される。
【００４１】
このフローに入ると、まず、撮像素子３によって撮像を行う（Ｓ１）。続いて、撮像によって取得した画像データを用いて顔検出部５ａは、目、鼻、口といった顔の部分を検出する（Ｓ２）。ここで検出された顔の部分を用いて、顔が正面を向いているか否かの判定を行う（Ｓ３）。すなわち、目、鼻、口といった顔の部分の相対的な位置関係に基づいて、顔の向きが判定される。
【００４２】
ステップＳ３における判定の結果、正面を向いていない場合には、ステップＳ１に戻り、前述の動作を繰り返す。ステップＳ３における判定の結果、正面を向いていた場合には、テンプレートの一致度を判定する（Ｓ４）。このテンプレートは、前述した顔及び加齢ＤＢ９ｄに記憶されている陰影パターンと同じであり、ほぼ、正面を向いている状態を初期位置として、年齢ごとのテンプレートを顔画像に当てはめていく。
【００４３】
続いて、全てのテンプレートと比較し、一致度を求めたかを判定する（Ｓ５）。この判定の結果、全てのテンプレートについて終了していなかった場合には、テンプレートを変更し（Ｓ６）、ステップＳ４に戻り、一致度を求める。ステップＳ５における判定の結果、全てのテンプレートについて一致度の判定が終了していた場合には、年齢を推定し、年齢としてＡ０を設定する（Ｓ１１）。すなわち、このステップでは、ステップＳ４において繰り返し比較したテンプレートの中で、一番一致度の高かったテンプレートから、どの年齢相当かを判定する。
【００４４】
次に、ステップＳ１と同様に撮像を行う（Ｓ１２）。この撮像によって得た画像データから、ステップＳ２と同様に、顔の部分を検出し（Ｓ１３）、ステップＳ４と同様にテンプレートの一致度を判定する（Ｓ１４）。続いて、ステップＳ５と同様に、全てのテンプレートについて一致度の判定が終了したか否かを判定し（Ｓ１５）、終了していなかった場合には、テンプレートの変更を行ってから（Ｓ１６）、ステップＳ１４に戻り、繰り返し、テンプレートとの比較を行う。
【００４５】
ステップＳ１５における判定が終了すると、ステップＳ１２に撮像した顔の画像の年齢を推定し、年齢としてＡ１を設定する（Ｓ２１）。すなわち、このステップでは、ステップＳ１４において繰り返し比較したテンプレートの中で、一番一致度の高かったテンプレートから、どの年齢相当かを判定する。
【００４６】
ステップＳ２１における年齢の推定が終わると、次に、年齢の変化を表示する（Ｓ２２）。このステップでは、図４（ｂ）で説明したように、最初に撮像した基準となる顔画像の年齢に対して、どのくらい若いか年配であるかをバー表示５１に表示する。図４の例では、バーが右側に延びている程、年配であることを示しているので、若々しい容姿で撮影を行いたい場合には、バー表示５１のバーが、なるべく左側になるように、被写体の表情や、撮影する角度を変えてみれば良い。
【００４７】
年齢変化を表示すると、元のフローにリターンし、年齢変化表示を行う場合には、ステップＳ１から実行する。なお、ステップＳ２２でリターンせずに、ステップＳ１２に戻り、撮影者の納得する相対年齢となるまで、再度、撮像を行い、相対年齢の表示を行うようにしても良い。この場合には、ステップＳ２２の次に、終了するかを判定し、終了の場合にはリターンするが、終了しない場合にはステップＳ１２に戻るようにすれば良い。
【００４８】
このように本発明の第１実施形態においては、相対判定部５ｄにおいて、顔及び加齢ＤＢ９ｄに記憶されているテンプレートとの一致度を判定し、すなわち、加齢サインを検出し、この検出結果に基づいて、複数の画像データのそれぞれについて人物の年齢を相対表示している。このため、撮影者は相対年齢を見ながら、被写体の表情を変化してもらったり、または構図を変更する等により、若々しい容姿での撮影を行うことが可能となる。
【００４９】
なお、本実施形態においては、相対年齢を表示するようにしている。勿論、ステップＳ１１やステップＳ２１において得た推定年齢をそのまま表示しても良いが、年齢そのものを表示することは、被写体の方に対して失礼な場合があり、また、若々しい容姿の画像となるように撮影するには相対年齢が分かれば十分であることから、本実施形態においては、相対年齢を表示するようにした。
【００５０】
次に、本発明の第２実施形態を図５および図６を用いて説明する。本発明の第１実施形態においては、被写体の人物の顔画像を複数取得し、これらの顔画像の相対年齢表示を行い、顔の表情や光線の具合等の構図を変化させることにより、自然で若々しい容姿の画像を撮影できるようにしていた。
【００５１】
第２実施形態においては、顔画像の相対年齢表示を行うことは、第１実施形態と同様であるが、露出補正を施した際の顔画像の相対年齢表示を行って、若々しく見えるか否かを判定できるようしている。なお、本実施形態における構成は、第１実施形態における図２に示すフローチャートを図５に示すフローチャートに置き換える以外は同様であるので、相違点を中心説明する。
【００５２】
図５に示すフローチャートを説明する前に、本実施形態における露出補正について説明する。図６は、同じシーンに露出補正を行った場合に、どのような描写となるかを示したものである。図６中の画像５３ａは基準となる画像であり、画像５３ｂ、画像５３ｃ、画像５３ｄは、この順に露出補正がプラスに施されている。図６から分かるように、露出補正値が大きくなるほど、顔のしわなどが見えなくなり、若々しく見える写真となる。
【００５３】
そこで、補正を施し、明るくすることにより若く見える写真とする。ただし、明るくしすぎると、全体にしまりのない写真となってしまうので、第１実施形態で説明したのと同様、相対年齢表示を参考にし、全体の画像の雰囲気を確認しながら撮影を行えば良い。すなわち、撮影者は相対年齢表示を見ながら適切な露出補正量を決め、この決めた露出補正量となるように操作し、撮影の際にはカメラ１００の絞り制御部２ｃは、この露出補正量で制御を行う。
【００５４】
次に、図５のフローチャートを用いて年齢変化表示の動作について説明する。スルー画表示中に、図５に示す年齢変化表示のフローに入ると、まず、撮像素子３によって撮像を行う（Ｓ３１）。続いて、顔の画像の中から顔の目、鼻、口といった部分を検出し（Ｓ３２）、この検出した顔の部分を用いて、顔が正面を向いているか否かの判定を行う（Ｓ３３）。判定の結果、正面を向いていない場合には、ステップＳ３１に戻り、顔が正面に向くまで、ステップＳ３１〜Ｓ３３を繰り返す。
【００５５】
ステップＳ３３における判定の結果、正面を向いていた場合には、ステップＳ３１において取得した画像に対して、補正量１で露出補正を行った画像を取得し（Ｓ３４）、補正量２で露出補正を行った画像を取得し（Ｓ３５）、補正量３で露出補正を行った画像を取得する（Ｓ３６）。なお、ステップＳ３４〜Ｓ３６における露出補正を行った画像は、画像処理部５において、露出補正を行った場合と同等の画像を生成する。続いて、ステップＳ３１において取得した画像、ステップＳ３４〜Ｓ３６において補正量１〜補正量３で露出補正した画像の合計４画像を、図６に示すように表示する（Ｓ３７）。ただし、このステップでは相対年齢を示すバー表示５４は未だ求められていないことから、表示されない。
【００５６】
続いて、画像ごとに比較を開始する（Ｓ３８）。すなわち、ステップＳ３１において取得した画像、ステップＳ３４〜Ｓ３６において露出補正した画像について、顔および加齢ＤＢ９ｄに記憶されているテンプレートとの比較を行う。続いて、テンプレートとの一致度の判定を行う（Ｓ３９）。
【００５７】
次に、１画像についてテンプレートとの一致度の判定が終了したか否かの判定を行う（Ｓ４１）。図５、図６に示した例では、画像は４画像あり、この内の１画像についての一致度の判定が終了したか否かの判定である。ステップＳ４１における判定の結果、一致度の判定が終了していなかった場合には、顔および加齢ＤＢ９ｄに記憶されているテンプレートを変更し（Ｓ４５）、ステップＳ３９に戻り、繰り返し、一致度の判定を行う。
【００５８】
ステップＳ４１における判定の結果、１画像について一致度の判定が終了した場合には、次に、全画像について一致度の判定が終了したか否かの判定を行う（Ｓ４２）。図５、図６に示した例では、画像は４画像あることから、この４画像について終了したか否かを判定する。ステップＳ４２における判定の結果、全画像について一致度の判定が終了していなかった場合には、画像を変更し（Ｓ４６）、ステップＳ３９に戻り、繰り返し、一致度の判定を行う。
【００５９】
ステップＳ４２における判定の結果、全画像について一致度の判定が終了した場合には、年齢変化の表示を行う（Ｓ４３）。すなわち、テンプレートの一致度を判定し、各画像について、一番一致度の高かったテンプレートに基づいて、各画像の絶対年齢を求め、ステップＳ３１における撮像によって取得した画像を基準として、この基準画像に対してどのくらい年齢に偏差があるかを、図６に示すように、年齢バー５４で表示する。
【００６０】
図６に示すように、露出補正量に応じて、年齢バー５４のバー表示の伸びは異なっており、補正量が大きいほど、若々しく見えることが分かる。すなわち、露出補正前の画像５３ａに比較し、画像５３ｂ、画像５３ｃ、画像５３ｄの順に次第に若々しくなっている。ただし、画像５３ｄは、露出オーバーとなり、細部がはっきりしないことから、撮影者の好みで適宜、露出補正量を決定すれば良い。なお、図６において、画像５３ｂ〜５３ｄには、露出補正量が表示されていないが、これを表示しても良い。撮影者は、気に入った画像となるように、露出補正量を設定する。
【００６１】
ステップＳ４３において年齢変化の表示を行うと、元のルーチンに戻る。なお、撮影者はステップＳ４３における年齢変化の表示を見て、露出補正量を決めると、この決定した露出補正量をカメラ１００に設定することにより、自然でかつ若々しい容姿の写真を得ることができる。
【００６２】
以上説明したように、本発明の第２実施形態によれば、露出補正を施した場合に、どのくらい若々しく見えるかを撮影前に表示することができ、この表示を参考にして露出補正量を決定することができる。また、第２実施形態においては、一度撮像（Ｓ３１）を行うだけでよく、第１実施形態のように、表情を変えたり、構図を変える等の手間を省くことができる。
【００６３】
なお、本実施形態においては、露出補正を施した画像を３画像としたが、画像数は適宜変更しても良く、また、年齢バー５４に代えて他の表示方法でも良い。さらに、露出補正量は予めプログラム中に設計値として設定しておいても良いが、撮影者が任意に設定できるようにしても良い。また、本実施形態においては、露出補正は、絞り２ｂの開口時間と開口量によって行っていたが、これに限らず、画像処理部５における画像処理によって行うようにしても良い。
【００６４】
次に、本発明の第３実施形態を図７ないし図９を用いて説明する。本発明の第２実施形態においては、撮影前に、露出補正を施すことにより、顔画像の相対年齢表示を行って、若々しく見えるか否かを判定できるようしていた。本実施形態における構成を、図７に示すカメラ１００の全体制御を示すフローチャートを用いて説明する。
【００６５】
撮影制御のフローを説明する前に、図９を用いて、本実施形態における露出補正について説明する。図９（ａ）は撮像によって取得した画像を示し、図９（ｂ）はこの画像の像信号の変化を示す。すなわち、この撮像画像には、背景としての木５７と主要被写体である人物５８が写っている。この撮影画像をライン５９に沿った像信号を検出すると、図９（ｂ）に示す実線のようになる。
【００６６】
本実施形態においては、顔検出部５ａによって検出された顔の部分のみの像信号を、適
用処理部５ｂによって、図９（ｂ）に示す矢印方向に露出補正し、破線のような像信号に変換する。このように、本実施形態においては、顔の部分のみを明るくなるように露出補正（適応化処理）を行うようにしており、このため、背景は変えることなく、顔部分のみを明るくすることができ、自然で若々しい写真を撮影することができる。
【００６７】
次に、図７に示す撮影制御のフローについて説明する。このフローはカメラ１００の全体制御を示している。このフローがスタートすると、まず、スルー画表示を開始する（Ｓ６１）。スルー画表示は、撮像素子３によって取得した画像信号に基づいて、表示パネル８に被写体像観察用の動画表示である。このスルー画表示はレリーズ釦の全押し操作がなされるまで継続的に行われる。なお、図７には明記していないが、スルー画は撮影者が設定した露出補正情報や、その他の露出パラメータをもとに画像の明るさなどが調整されて表示される。
【００６８】
続いて、ステップＳ６１のスルー画表示開始から所定のタイミングで撮像された１駒のスルー画（基準顔画像）の年齢を推定する（Ｓ６２）。この年齢推定は、図５のフローチャートにおいて説明したのと同様に、複数の加齢テンプレートと比較することによって行う。続いて、所定のタイミングで撮像された１駒のスルー画で得られた顔画像について、ステップＳ６２と同様にして年齢推定を行い、基準顔画像の推定年齢を基準にした年齢の変化を表示する（Ｓ６３）。
【００６９】
この年齢変化表示は、図８に示すように、表示パネル８に行い、ステップＳ６２において取得した基準顔画像５５ａと、この基準顔画像５５ａの推定年齢を基準にした年齢の変化を示す画像５５ｂ〜画像５５ｄを表示し、併せて、年齢バー５６を併せて表示する。なお、図８では、４つの画像を表示しているが、表示画像数は設計上、適宜決めれば良い。
【００７０】
次に、レリーズ釦の全押し操作が行われたか否かの判定を行う（Ｓ６４）。この判定の結果、レリーズ釦の全押し操作が行われていないとき（すなわち、レリーズ釦の半押し操作のとき）は、次に、撮影者がスイッチ１ｃに割り当てられている所定の操作部材を選択操作したか否かを判定する（Ｓ６５）。
【００７１】
ステップＳ６５における判定の結果、選択操作が行われていたときは、後述するレリーズ釦の全押しが行われた後の静止画撮影で用いる露出補正、シャッタースピード、絞りなどの撮影条件を、スルー画表示中に撮影者によって設定されている撮影条件に切り換える（Ｓ６６）。ステップＳ６５における判定の結果、選択操作が行われていないときは、ステップＳ６３に戻り、年齢変化表示を行い、前述の動作を繰り返す。
【００７２】
ステップＳ６４における判定の結果、レリーズ釦の全押し操作がなされていた場合には、直前に設定された撮影条件（ステップＳ６６参照）で静止画の撮影が行われる（Ｓ６７）。続いて、ステップＳ６６において撮影条件として顔画像に対する露出補正（適応化処理）が設定されたか否かを判定する（Ｓ６８）。
【００７３】
この判定の結果、適応化処理が選択されていたときは、撮影した画像データに対して画像処理による適応化処理を行なう（Ｓ６９）。この適応化処理が終わると、適応化処理を行った画像データを記録メディア９に記録する（Ｓ７０）。一方、ステップＳ６８における判定の結果、適応化処理が設定されていない場合には、適応化処理を行うことなく撮影した静止画データを記録メディア９に記録する（Ｓ７０）。
【００７４】
以上のように図７に示したフローでは、スルー画表示中の所定のタイミングで撮像した１駒の画像を基準顔画像とし、この基準顔画像の推定年齢を求め、この基準顔画像の取得後に撮像される顔画像の推定年齢については、基準顔画像との相対的な年齢変化を表示するようにしている。撮影者はスルー画表示中に露出補正を変化させながら年齢変化の表示を観察し、所望の年齢変化に対応する露出情報を静止画撮影の撮影条件として選択する。レリーズ釦の全押し操作がなされると、直前に設定した撮影条件で静止画の撮影を行い、静止画データを記録メディア９に記録する。この場合、撮影条件として露出補正（適応化処理）が設定されているときは、撮影した静止画データに適応化処理を行った後に記録メディア９に記録する。なお、基準顔画像の撮像のタイミングは、レリーズ釦の半押し時等、撮影者による操作によって行えば良い。
【００７５】
このように、本発明の第３実施形態においては、適応化処理部５ｂによって、顔画像のみについて露出補正を施し、この露出補正を施した画像を表示するようにしている。このため、背景部分は変わらず、顔が若々しく見えるような写真を撮影することができる。
【００７６】
なお、本実施形態においては、適応化処理部５ｂによって適応化処理した画像を記録メディア９に記録していたが、これに限らず、適応化未処理の画像データと共に適応化処理の指示を記録メディア９に記録し、画像データを再生、またはプリントする際に、適応化処理の指示に従って処理するようにしても良い。
【００７７】
また、本実施形態では顔部分全体について露出補正を行ったが、顔の中でも加齢部のみ露出補正（加齢テンプレートに相当する部分）を行ってもよい。例えば、図１０に示すように、目と口とあごの間の加齢サイン部６０にのみ、露出量を上げたり、画像処理で影を目立たなくするなど、適応処理部５ｂによって加齢サイン部６０のみの露出をあげて、明るくするような補正を行っても良い。このような処理を行うことにより、図１０（ａ）に示すような補正前の画像でも、図１０（ｂ）に示すように、若々しい顔画像とすることができる。
【００７８】
また、本実施形態のように、顔部分のみに対して露出補正を行い、適応化処理を行う以外にも、通常の露出補正と同様に画像全体に対して露出補正を行うものであってもよい。すなわち、図１１に示すように、撮影者は表示パネル８に表示されるスルー画を観察し、このとき被写体が若々しく見えるように露出補正スイッチ６１を操作して露出補正値を変更してから、撮影動作を行えば良い。
【００７９】
以上、説明したように、本発明の各実施形態においては、複数の画像データにそれぞれに含まれる人物の顔画像に対応する顔画像データから、人物の年齢を検出し、この検出された年齢に基づいて、複数の画像のそれぞれについて人物の年齢を相対表示するようにしている。このため、撮影者は、被写体の表情、構図、露出補正量等を変化させながら、自然に若々しく見えるような写真を容易に撮影することができる。
【００８０】
なお、本発明の各実施形態においては、年齢の検出にあたって、相対判定部５ｄによって、顔および加齢ＤＢに記憶されているテンプレートと比較を行っていたが、これに限らず、顔画像等に基づいて年齢を推定できるものであれば良い。
【００８１】
また、本発明の各実施形態においては、露出補正や適応処理を行った場合の画像を表示し、撮影者はこの表示を見て、露出補正量等を設定する操作部材を手動で設定していたが、これに限らず、例えば、画像を選択すると自動的に露出補正量等が設定されるようにしても良い。
【００８２】
また、本発明の各実施形態においては、撮影のための機器として、デジタルカメラを用いて説明したが、カメラとしては、デジタル一眼レフカメラでもコンパクトデジタルカメラでもよく、また、携帯電話や携帯情報端末（ＰＤＡ：Personal Digital Assist）等に内蔵されるカメラでも勿論構わない。
【００８３】
本発明は、上記各実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【図面の簡単な説明】
【００８４】
【図１】本発明の第１実施形態に係わるカメラとその周辺のブロック図である。
【図２】本発明の第１実施形態に係わるカメラの年齢変化表示の動作を示すフローチ    ャートである。
【図３】本発明の第１実施形態において、加齢サイン判定の判定方法を説明する図で    ある。
【図４】本発明の第１実施形態に係わるカメラにおいて、相対年齢を表示パネルに表    示している状態を示す図である。
【図５】本発明の第２実施形態に係わるカメラの年齢変化表示の動作を示すフローチ    ャートである。
【図６】本発明の第２実施形態に係わるカメラにおいて、相対年齢を表示パネルに表    示している状態を示す図である。
【図７】本発明の第３実施形態に係わるカメラの撮影制御の動作を示すフローチャー    トである。
【図８】本発明の第３実施形態に係わるカメラにおいて、相対年齢を表示パネルに表    示している状態を示す図である。
【図９】本発明の第３実施形態において、適応化処理を説明する図である。
【図１０】本発明の第３実施形態に係わるカメラにおいて、顔画像の一部に適応化処    理を施すことを示す図であり、（ａ）は補正前の画像であり、（ｂ）は補正後の画像    である。
【図１１】本発明の第３実施形態に係わるカメラにおいて、通常の露出補正と同様に    画像全体に対して露出補正を行いながら最適な露出補正情報を設定する様子を示す図    である。
【符号の説明】
【００８５】
１・・・ＭＰＵ、１ａ・・・レリーズスイッチ、１ｂ・・・モード切替スイッチ、１ｃ・
・・他のスイッチ、１ｄ・・・条件判定部、１ｔ・・・時計部、２・・・撮影レンズ、２
ａ・・・ＡＦ(オートフォーカス)制御部、２ｂ・・・絞り、２ｃ・・・絞り制御部、３・
・・撮像素子、４・・・アナログフロントエンド（ＡＦＥ）部、５・・・画像処理部、５
ａ・・・顔検出部、５ｂ・・・適応処理部、５ｃ・・・コントラスト判定部、５ｄ・・・
相対判定部、６・・・圧縮部、８・・・表示パネル、８ａ・・・表示制御部、８ｂ・・・
マルチ画像処理部、９・・・記録メディア、９ａ・・・記録部、９ｄ・・・顔＆加齢デー
タベース、１１・・・補助光発光部、２０・・・被写体、４１・・・顔画像（若い人）、
４２・・・顔画像（年配の人）、４３・・・陰影パターン（若い人）、４４・・・陰影パ
ターン（年配の人）、５１・・・年齢バー、５２ａ・・・顔、５２ｂ・・・顔、５３ａ・
・・画像、５３ｂ・・・画像、５３ｃ・・・画像、５３ｄ・・・画像、５４・・・年齢バ
ー、５５ａ・・・画像、５５ｂ・・・画像、５５ｃ・・・画像、５５ｄ・・・画像、５６
・・・年齢バー、５７・・・木、５８・・・人物、５９・・・ライン、６０・・・加齢サ
イン部、６１・・・露出補正スイッチ、１００・・・カメラ
【図１】
0005496274.tif 000002
【図２】
0005496274.tif 000003
【図３】
0005496274.tif 000004
【図４】
0005496274.tif 000005
【図５】
0005496274.tif 000006
【図６】
0005496274.tif 000007
【図７】
0005496274.tif 000008
【図８】
0005496274.tif 000009
【図９】
0005496274.tif 000010
【図１０】
0005496274.tif 000011
【図１１】
0005496274.tif 000012